(57)【要約】【目的】本発明の目的は撮影画像を含む各種資料の作成を、撮影位置情報、日時情報を一体的に処理し、正確迅速に、かつ自動的に行うことにある。【解決手段】本発明は、デジタルカメラ又は画像付携帯電話に、ＧＰＳ機能と方位を感知する機能を設け、撮影者の位置を経度、緯度で特定し、影像した方向情報を、シャッターを押すと同時に取得するとともに撮影時間を記録し、コンピュータの画像処理の一貫として、予め用意した該コンピュータ画面の地図上に、自動的に撮影位置から取得した方位方向に矢印を引き、方向付地図画像として作成し、該方向付地図画像に該方向付地図画像と対応する撮影画像および経度緯度情報、方位情報、および撮影日時を添付することにより、正確迅速な方向確定画面情報撮影の記録を可能ならしめることを特徴とする撮影位置および方位付のデジタルカメラ又は画像付携帯電話システム。【選択図】　　　図１
2004048427.tif 000002
【特許請求の範囲】
【請求項１】
デジタルカメラ又は画像付携帯電話に、ＧＰＳ機能と方位を感知する機能を設け、撮影者の位置を経度、緯度で特定し、影像した方向情報を、シャッターを押すと同時に取得するとともに撮影時間を記録し、コンピュータの画像処理の一貫として、予め用意した該コンピュータ画面の地図上に、自動的に撮影位置から取得した方位方向に矢印を引き、方向付地図画像として作成し、該方向付地図画像に該方向付地図画像と対応する撮影画像および経度緯度情報、方位情報、および撮影日時を添付することにより、正確迅速な方向確定画面情報撮影の記録を可能ならしめることを特徴とする撮影位置および方位付のデジタルカメラ又は画像付携帯電話システム。
【請求項２】
不動産の売買、賃貸の斡旋業務について、売主買主のマッチングの過程において、買主のコンピュータを用いた机上のお気に入り物件選出サポートとして、多量の現地の周辺環境案内として利用し、現地物件案内を請求項１の撮影画像および方向付地図画像を用いて動的機能である画像付案内によって、被案内者が案内者のマンツーマンの案内を必要とせず電車、バス、徒歩の具体的案内を不安なく確立できることを特徴とする請求項１記載の撮影位置および方位付のデジタルカメラ又は画像付携帯電話システム。
【請求項３】
請求項１記載の方向付地図画像に該方向付地図画像と対応する撮影画像および経度緯度情報、方位情報、および撮影日時の添付を物件環境情報として使用するか、交通事故の現場調査についての説明として使用するか、犯罪捜査の状況記録作製サポートとして使用するか、隣地立会い証拠記録作製のための測量立会い記録として使用するか、官公庁の工事受託の進捗毎報告書添付写真に所在地、方位、時刻を付帯した報告書として使用するか、現況写真を時系列に管理できる資料として使用するか、金融機関の不動産物件評価について、物件の他、方位からの写真の保存が蓄積された資料として使用するか、不動産鑑定士の鑑定書作成の基礎資料として使用するか、考古学の基礎資料分類・保存のサポートとして使用するか、その他各種の用とに向けた資料として使用することを特徴とする請求項１記載の撮影位置および方位付のデジタルカメラ又は画像付携帯電話システム。
【発明の詳細な説明】
【０００１】
【発明の属する技術分野】
本発明は、デジタルカメラ、または画像付携帯電話に、ＧＰＳ機能、方位のデジタル情報取得機能、撮影時時刻デジタル情報取得機能を付加し、状況画像データに経度・緯度による地球的位置情報、および撮影時間情報を合体し、簡易に撮影位置および方位付デジタルカメラまたは画像付携帯電話を作成実現しようとするものである。
【０００２】
【従来の技術】
従来、種々の事象を画像説明する場合の資料作成は、対象物の撮影を旧来のカメラで行っており、今日的にはデジタルカメラ等で行っている。
撮影位置は市販の地図に表示、今日的にはベクトル地図上で図示することが行われ、添付する日時等の情報は、適宜紙等に記録され、全て人的判断において処理されてきたが、対象画像、撮影位置、日時に関する情報の一体化の信憑性を確保するには高度な作業意識の継続が要求される。
【０００３】
【発明が解決しようとする課題】
本発明の目的は、撮影画像を含む各種資料の作成を、撮影位置情報、日時情報を一体的に処理し、正確迅速に、かつ自動的に行うことを課題とする。
【０００４】
【課題を解決するための手段】
種々の目的のもと、画像説明する資料作成を科学的に正確迅速に行うため、デジタルカメラ、または画像付携帯電話に、ＧＰＳ機能、方位のデジタル情報取得機能、撮影時時刻デジタル情報取得機能を付加し、状況画像データに経度・緯度による地球的位置情報、および撮影時間情報を合体し、簡易に撮影位置および方位付デジタルカメラまたは画像付携帯電話を作成実現しようとするものである。
【０００５】
本発明に係る撮影位置および方位付のデジタルカメラ又は画像付携帯電話システムは、デジタルカメラ又は画像付携帯電話に、ＧＰＳ機能と方位を感知する機能を設け、撮影者の位置を経度、緯度で特定し、影像した方向情報を、シャッターを押すと同時に取得するとともに撮影時間を記録し、コンピュータの画像処理の一貫として、予め用意した該コンピュータ画面の地図上に、自動的に撮影位置から取得した方位方向に矢印を引き、方向付地図画像として作成し、該方向付地図画像に該方向付地図画像と対応する撮影画像および経度緯度情報、方位情報、および撮影日時を添付することにより、正確迅速な方向確定画面情報撮影の記録を可能ならしめることを特徴とする。
【０００６】
本発明に係る撮影位置および方位付のデジタルカメラ又は画像付携帯電話システムは、不動産の売買、賃貸の斡旋業務について、売主買主のマッチングの過程において、買主のコンピュータを用いた机上のお気に入り物件選出サポートとして、多量の現地の周辺環境案内として利用し、現地物件案内を請求項１の撮影画像および方向付地図画像を用いて動的機能である画像付案内によって、被案内者が案内者のマンツーマンの案内を必要とせず電車、バス、徒歩の具体的案内を不安なく確立できることを特徴とする。
【０００７】
【発明の実施の形態】
以下、本発明の一実施例を図面により説明する。
図１は、本発明に係る撮影位置および方位付のデジタルカメラ又は画像付携帯電話システムの構成図であり、中央演算装置とファイル装置、メインメモリ制御プログラムおよび入力装置、出力装置デジタルカメラまたは画像付携帯電話基本機能の構成である。
【０００８】
図２は、本発明に係るシステムの処理フローチャート（入力時）例である。
デジタルカメラまたは画像付携帯電話をスタートする。
撮影シャッターを押す。
▲１▼　ＧＰＳ機能を起動し経度緯度情報を取得する。
▲２▼　方位情報機能例えば方位を示す磁石を起動し方位情報を取得する。
▲３▼　内臓時計から現在日時秒を読み取る。
▲４▼　経度緯度情報をＧＰＳデータファイルに保存する。
方位情報を方向記録データファイルに保存する。
日時秒情報を撮影日時秒データファイルに保存する。
▲５▼　終了
【０００９】
図３は、本発明に係るシステムの処理フローチャート（作図時）例である。
▲１▼　パソコン等をスタートする。
▲２▼　指定データの経度緯度情報をＧＰＳデータファイルから読み取る。
指定データの方位情報を方向記録データファイルから読み取る。
指定データの日時秒情報を撮影日時秒データファイルから読み取る。
▲３▼　指定地の地図情報を地図データファイルから読み取る。
▲４▼　撮影地点から方位情報にしたがい矢印付線分を引く。
▲５▼　経度緯度情報、方位情報、日時秒情報、その他の必要表示データを図上に表示する。（または全図を印刷する）
▲６▼　終了
【００１０】
図４は、図面作成例（売買物件案内例）である。
売買または賃貸物件の案内図の目的画像を、地図上に矢印を付けて表示、撮った映像に方向感覚を供給することができる。同位置からのパノラマ写真もリアリテイが増す。
【００１１】
図５は、図面作成例（作業現場写真例）である。
公共工事には、工事進捗にあわせて写真付報告書が要求される。
本システムで方向、作業確認日時、その他の管理コメントを画像に付与することによって、公共事業または民間企業でも後日の改修資料として役立つ。
【００１２】
図６は、図面作成例（間取例）である。
地図画面上に影像地点を特定する経度緯度及び方位を矢印で示し、日時を記録し、対象画像として間取りを取り込み、その間取りに経度緯度及び方位、日時、現場名記録する。
【００１３】
【発明の効果】
本発明は、各種業務において目的別に必要とする用途の基本情報に対して、撮影画像データ、地図上位置データ、方位データを一元化し、一体化して管理できるところに特徴がある。すなわち、撮影者の位置を経度、緯度で特定し、影像した方向情報を、シャッターを押すと同時に取得するとともに撮影時間を記録し、コンピュータの画像処理の一貫として、予め用意した該コンピュータ画面の地図上に、自動的に撮影位置から取得した方位方向に矢印を引き、方向付地図画像として作成し、該方向付地図画像に該方向付地図画像と対応する撮影対象画像および経度緯度情報、方位情報、および撮影日時を添付することにより、地図画面上で特定した現場についてその現場の撮影方向を示した撮影画像を容易に把握することができ、正確迅速な方向確定画面情報撮影の記録を可能ならしめることができる。
【００１４】
本発明に係るシステムによれば、案内図に周辺景観を描写できるので、全て事柄にフレンドリーなサービスを提供でき無限の可能性を秘めている。
また不動産の売買、賃貸案内について、物件所在地までの道順を懇切丁寧にガイドできる。
さらに不動産の売買、賃貸案内について、物件内部を間取り図とともに方向視覚に合わせた影像によってより的確な物件判断が可能になる。
【００１５】
物件環境情報が蓄積され、事務所内だけでも精度の高い判断が可能になる。
交通事故の現場調査についての説明機能が増す。
犯罪捜査の状況記録作製サポートができる。
隣地立会い証拠記録作製が容易になり、測量立会い記録が精密になる。
官公庁の工事受託の進捗毎報告書添付写真に所在地、方位、時刻を付帯でき報告書作製が容易になる。
【００１６】
現況写真が時系列に管理でき将来に向かって充実した資料が自動的に作成できる。
金融機関の不動産物件評価について、物件の他方位からの写真の保存が要求されるが自由自在に、本システムの情報を加工して評価ができる。
不動産鑑定士の鑑定書作成の基礎資料として利用できる。
不動産業における物件説明書の基礎資料として利用できる。
考古学の基礎資料分類・保存のサポートが容易になる。
【図面の簡単な説明】
【図１】本発明の撮影位置および方位付デジタルカメラまたは画像付携帯電話システムの構成図である。
【図２】本発明に係るシステムの処理フローチャート（入力時）例である。
【図３】本発明に係るシステムの処理フローチャート（作図時）例である。
【図４】本発明に係るシステムの図面作成例（売買物件案内例）である。
【図５】本発明に係るシステムの図面作成例（作業現場写真例）である。
【図６】本発明に係るシステムの図面作成例（間取例）である。
【図１】
2004048427.tif 000003
【図２】
2004048427.tif 000004
【図３】
2004048427.tif 000005
【図４】
2004048427.tif 000006
【図５】
2004048427.tif 000007
【図６】
2004048427.tif 000008